Podtech/llm-jp-corpus-v4-ja_patent huggingface dataset:
【手続補正書】
【提出日】令和3年7月14日(2021.7.14)
【手続補正１】
【補正対象書類名】特許請求の範囲
【補正対象項目名】全文
【補正方法】変更
【補正の内容】
【特許請求の範囲】
【請求項１】
燃料電池システムにおいて使用される冷却モジュールにおいて、
第１の材料を収容するように構成された第１のチャンバと、
第２の材料を収容するように構成された第２のチャンバと、
上記第１のチャンバおよび上記第２のチャンバの間に配された第１の絶縁層とを有し、
上記第２のチャンバは少なくとも部分的に上記第１のチャンバを包囲し、かつ、
周囲温度が減少するときに、上記第１の材料が凍結開始する前に上記第２の材料が凍結開始することを特徴とする冷却モジュール。
【請求項２】
上記第１および第２の材料のうちの少なくとも１つが水である請求項１記載の冷却モジュール。
【請求項３】
上記第１および第２の材料のうちの少なくとも１つが加熱性ゲルである請求項１または請求項２のいずれかに記載の冷却モジュール。
【請求項４】
上記冷却モジュールを包囲する第２の絶縁体をさらに有する請求項１〜３のいずれかに記載の冷却モジュール。
【請求項５】
上記第１の材料と流体連通されたいる少なくとも１つの加熱素子をさらに有する請求項１〜４のいずれかに記載の冷却モジュール。
【請求項６】
上記第２の材料と流体連通されたいる少なくとも１つの加熱素子をさらに有する請求項１〜５のいずれかに記載の冷却モジュール。
【請求項７】
少なくとも１つの温度センサと、
上記少なくとも１つの温度センサと信号通信可能なコントローラとをさらに有し、
上記コントローラが、上記少なくとも１つの温度センサにより示される温度データに基づいて、上記少なくとも１つの加熱素子に供給される電力を制御する請求項５または６のいずれかに記載の冷却モジュール。
【請求項８】
上記少なくとも１つの温度センサはバイメタルスイッチを含む請求項７記載の冷却モジュール。
【請求項９】
上記温度センサにより表示される温度が予め定められた温度設定点に到達するまで、上記コントローラが上記だ１の材料および上記第２の材料の少なくとも１つを加熱するように構成される請求項７〜８のいずれかに記載の冷却モジュール。
【請求項１０】
上記少なくとも１つの加熱素子は電気抵抗ヒータを含む請求項７〜９のいずれかに記載の冷却モジュール。
【請求項１１】
上記少なくとも１つの加熱素子は上記燃料電池システムからの排気を含み、上記排気は、上記第１の材料および上記第２の材料のうちの少なくとも１つの少なくとも一部を溶解するのに十分な温度である請求項７〜９のいずれかに記載の冷却モジュール。
【請求項１２】
上記第１の材料および上記第２の材料のうちの少なくとも１つの凝固物理状態の量の変化を検出するように構成された歪みゲージをさらに有する請求項７〜１１のいずれかに記載の冷却モジュール。
【請求項１３】
上記第１の材料および上記第２の材料のうちの少なくとも１つの蒸発状態の量の変化を検出するように構成された圧力センサをさらに有する請求項１記載の冷却モジュール。
【請求項１４】
上記第１の材料および上記第２の材料のうちの少なくとも１つの上記凝固物理状態の上記料の変化に応じて、第１の方向および当該第１の方向と逆の方向の第２の方向に移動するように構成されたフロートをさらに有する請求項７〜１１のいずれかに記載の冷却モジュール。
【請求項１５】
上記第２のチャンバがクラックなしに伸長および収縮し、上記第２のチャンバは上記第２の材料が凝固するときに伸長し、上記第２の材料が溶融するときに収縮する請求項１〜１４のいずれかに記載の冷却モジュール。
【請求項１６】
上記第２のチャンバが球状の第２のチャンバおよび円筒状の第２のチャンバのうちの１つである請求項１５記載の冷却モジュール。
【請求項１７】
燃料電池システムにおける第１の材料の凝固を遅延させる方法において、
上記第１の材料を第１のチャンバに案内するステップと、
第２の材料を第２のチャンバに案内するステップであって、上記第２のチャンバは第１の絶縁層によって上記第１のチャンバから分離される上記ステップと、
上記第２の材料を液体状態に維持しつつ、上記第１の材料が、周囲温度の減少または増加に応じて凝固または溶融が可能になるようにするステップとを有することを特徴とする上記方法。
【請求項１８】
上記第２のチャンバを加熱素子により加熱するステップをさらに有する請求項１７記載の燃料電池システムにおける第１の材料の凝固を遅延させる方法。
【請求項１９】
上記第１のチャンバを毛熱素子により加熱するステップをさらに有する請求項１８記載の燃料電池システムにおける第１の材料の凝固を遅延させる方法。
【請求項２０】
上記第１の材料および上記第２の材料が液体物理状態にあるように、温度センサを用いて、上記第１のチャンバおよび上記第２のチャンバのうちの少なくとも１つにおいて所望の温度を維持するステップをさらに有する請求項１７記載の燃料電池システムにおける第１の材料の凝固を遅延させる方法。
【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
幹細胞由来のエキソソームを有効成分として含む、角質層の皮膚バリアの強化ないし機能改善用組成物。
【請求項２】
皮膚において、セラミド、ジヒドロセラミド又はスフィンゴ塩基のうちの少なくとも１種の生成量を増加させる、請求項１に記載の角質層の皮膚バリアの強化ないし機能改善用組成物。
【請求項３】
皮膚において、Ｃ１６セラミド、Ｃ１８セラミド、Ｃ２０セラミド、Ｃ２２セラミド、Ｃ２４セラミド、又はＣ２４：１セラミドのうちの少なくとも１種の生成量及び総セラミドの生成量を増加させる、請求項２に記載の角質層の皮膚バリアの強化ないし機能改善用組成物。
【請求項４】
皮膚において、Ｃ１６ジヒドロセラミド、Ｃ１８ジヒドロセラミド、Ｃ２２ジヒドロセラミド、Ｃ２４ジヒドロセラミド、又はＣ２４：１ジヒドロセラミドのうちの少なくとも１種の生成量及び総ジヒドロセラミドの生成量を増加させる、請求項２に記載の角質層の皮膚バリアの強化ないし機能改善用組成物。
【請求項５】
皮膚において、Ｓ１Ｐ（Ｓｐｈｉｎｇｏｓｉｎｅ−１−ｐｈｏｓｐｈａｔｅ）又はスフィンゴシンのうちの少なくとも１種の生成量を増加させる、請求項２に記載の角質層の皮膚バリアの強化ないし機能改善用組成物。
【請求項６】
皮膚において、ＳＰＨＫ１の活性を増加させ、Ｓ１Ｐリアーゼ（Ｓ１Ｐ  ｌｙａｓｅ）の活性を減少させる、請求項１〜５のいずれか一項に記載の角質層の皮膚バリアの強化ないし機能改善用組成物。
【請求項７】
皮膚において、ＴＳＬＰ（Ｔｈｙｍｉｃ  ｓｔｒｏｍａｌ  ｌｙｍｐｈｏｐｏｉｅｔｉｎ）、ＩＬ−４及びＩＬ−１３の生成又は発現を減少させる、請求項１〜５のいずれか一項に記載の角質層の皮膚バリアの強化ないし機能改善用組成物。
【請求項８】
薬学組成物である、請求項１〜５のいずれか一項に記載の角質層の皮膚バリアの強化ないし機能改善用組成物。
【請求項９】
注射剤である、請求項８に記載の角質層の皮膚バリアの強化ないし機能改善用組成物。
【請求項１０】
パッチ、マスクパック、シートマスク、クリーム、トニック、軟膏、懸濁液、乳濁液、ペースト、ローション、ゲル、オイル、パック、スプレー、エアゾール、ミスト、ファンデーション、パウダー、及び油紙で構成された群から選ばれた少なくとも１種の形態に適用することを特徴とする、請求項１〜５のいずれか一項に記載の角質層の皮膚バリアの強化ないし機能改善用組成物。
【請求項１１】
パッチ、マスクパック又はシートマスクの少なくとも一面に塗布又は浸漬されることを特徴とする、請求項１０に記載の角質層の皮膚バリアの強化ないし機能改善用組成物。
【請求項１２】
皮膚外用剤又は化粧料組成物である、請求項１〜５のいずれか一項に記載の角質層の皮膚バリアの強化ないし機能改善用組成物。
【請求項１３】
前記化粧料組成物は、クリーム又はローションである、請求項１２に記載の角質層の皮膚バリアの強化ないし機能改善用組成物。
【請求項１４】
（ａ）請求項１〜５のいずれか一項に記載の角質層の皮膚バリアの強化ないし機能改善用組成物を哺乳動物の皮膚に直接塗布すること、（ｂ）前記角質層の皮膚バリアの強化ないし機能改善用組成物が塗布又は浸漬されたパッチ、マスクパック又はシートマスクを哺乳動物の皮膚に接触又は付着すること、若しくは前記（ａ）及び（ｂ）を順次進行することを含む、治療用を除く角質層の皮膚バリア強化ないし機能改善により哺乳動物の皮膚の状態を調節する美容方法。
【請求項１５】
前記（ａ）ステップでは、角質層の皮膚バリアの強化ないし機能改善用組成物としてローションやクリームが使用される、請求項１４に記載の美容方法。
【請求項１６】
（ｃ）前記（ｂ）ステップの後に、前記パッチ、マスクパック又はシートマスクを前記哺乳動物の皮膚から除去し、前記角質層の皮膚バリアの強化ないし機能改善用組成物を哺乳動物の皮膚に塗布するステップをさらに含む、請求項１４に記載の美容方法。
【請求項１７】
前記（ｃ）ステップでは、角質層の皮膚バリアの強化ないし機能改善用組成物としてローションやクリームが使用される、請求項１６に記載の美容方法。
【手続補正書】
【提出日】令和3年4月17日(2021.4.17)
【手続補正１】
【補正対象書類名】特許請求の範囲
【補正対象項目名】全文
【補正方法】変更
【補正の内容】
【特許請求の範囲】
【請求項１】
多嚢胞性卵巣症候群に罹患している女性患者における子宮内の胚着床率を高めるための組成物であって、ｍｙｏ−イノシトールおよびＤ−ｃｈｉｒｏ−イノシトールをそれぞれ１：１〜９：１の重量比で含む、組成物。
【請求項２】
多嚢胞性卵巣症候群に罹患している女性患者における胚着床不全を予防するための組成物であって、ｍｙｏ−イノシトールおよびＤ−ｃｈｉｒｏ−イノシトールを１：１〜９：１の重量比で含む、組成物。
【請求項３】
多嚢胞性卵巣症候群に罹患している女性患者における妊娠率を改善するための組成物であって、ｍｙｏ−イノシトールおよびＤ−ｃｈｉｒｏ−イノシトールをそれぞれ１：１〜９：１の重量比で含む、組成物。
【請求項４】
ｍｙｏ−イノシトールおよびＤ−ｃｈｉｒｏ−イノシトールをそれぞれ２：１〜５：１の重量比で含む、請求項１乃至３のいずれか一項に記載の組成物。
【請求項５】
ｍｙｏ−イノシトールおよびＤ−ｃｈｉｒｏ−イノシトールの前記重量比がそれぞれ３．６６：１である、請求項４に記載の組成物。
【請求項６】
経口投与用の固体剤形である、請求項１乃至５のいずれか一項に記載の組成物。
【請求項７】
前記経口投与用の固体剤形が、粉末、顆粒、粒状物、サッシェ剤、錠剤、カプセル剤、ソフトカプセル剤、ゼラチンシェルを含むソフトカプセル剤、発泡性錠剤、チュアブル錠剤、丸剤、カシェ剤、即時放出錠剤および放出調節錠剤からなる群から選択される、請求項６に記載の組成物。
【請求項８】
前記組成物中のｍｙｏ−イノシトールおよびＤ−ｃｈｉｒｏ−イノシトールの含有量が、ｍｙｏ−イノシトール５５０ｍｇおよびＤ−ｃｈｉｒｏ−イノシトール１５０ｍｇ、またはｍｙｏ−イノシトール１１００ｍｇおよびＤ−ｃｈｉｒｏ−イノシトール３００ｍｇである、請求項５乃至７のいずれか一項に記載の組成物。
【請求項９】
女性患者における多嚢胞性卵巣症候群の治療に使用するための、ｍｙｏ−イノシトールおよびＤｃｈｉｒｏ−イノシトールをそれぞれ１：１〜９：１の重量比で含む組成物。
【請求項１０】
多嚢胞性卵巣症候群に罹患している女性患者における不妊症の治療に使用するための、ｍｙｏ−イノシトールとＤ−ｃｈｉｒｏ−イノシトールをそれぞれ１：１〜９：１の重量比で含む組成物。
【請求項１１】
多嚢胞性卵巣症候群に罹患しており、かつ卵巣刺激治療を受けた女性患者における卵巣過剰刺激症候群のリスクの予防または低減に使用するための、ｍｙｏ−イノシトールおよびＤ−ｃｈｉｒｏ−イノシトールをそれぞれ１：１〜９：１の重量比で含む組成物。
【請求項１２】
前記卵巣刺激治療がゴナドトロピン放出ホルモン拮抗薬およびＦＳＨである、請求項１１に記載の使用のための組成物。
【請求項１３】
前記組成物がｍｙｏ−イノシトールおよびＤ−ｃｈｉｒｏ−イノシトールをそれぞれ２：１〜５：１の重量比で含む、請求項９乃至１２のいずれか一項に記載の使用のための組成物。
【請求項１４】
前記ｍｙｏ−イノシトールおよびＤ−ｃｈｉｒｏ−イノシトールがそれぞれ３．６６：１の重量比である、請求項１３に記載の使用のための組成物。
【請求項１５】
前記組成物が経口投与用の固体剤形である、請求項９乃至１４のいずれか一項に記載の使用のための組成物。
【請求項１６】
前記経口投与用の固体剤形が、粉末、顆粒、粒状物、サッシェ剤、錠剤、カプセル剤、ソフトカプセル剤、ゼラチンシェルを含むソフトカプセル剤、発泡性錠剤、チュアブル錠剤、丸剤、カシェ剤、即時放出錠剤および放出調節錠剤からなる群から選択される、請求項１５に記載の組成物。
【請求項１７】
ｍｙｏ−イノシトールおよびＤ−ｃｈｉｒｏ−イノシトールの含有量が、ｍｙｏ−イノシトール５５０ｍｇおよびＤ−ｃｈｉｒｏ−イノシトール１５０ｍｇ、またはｍｙｏ−イノシトール１１００ｍｇおよびＤ−ｃｈｉｒｏ−イノシトール３００ｍｇである、請求項１４または１６に記載の使用のための組成物。
【請求項１８】
ａ）ソフトカプセルシェルと
ｂ）ｍｙｏ−イノシトールおよびＤ−ｃｈｉｒｏ−イノシトールをそれぞれ１：１〜９：１の重量比で含む医薬組成物と
を含むソフトカプセル。
【請求項１９】
前記医薬組成物が、ｍｙｏ−イノシトールおよびＤ−ｃｈｉｒｏ−イノシトールをそれぞれ２：１〜５：１の重量比で含む、請求項１８に記載のソフトカプセル。
【請求項２０】
前記組成物が、ｍｙｏ−イノシトールおよびＤ−ｃｈｉｒｏ−イノシトールをそれぞれ３．６６：１の重量比で含む、請求項１９に記載のソフトカプセル。
【請求項２１】
前記医薬組成物中のｍｙｏ−イノシトールおよびＤ−ｃｈｉｒｏ−イノシトールの含有量が、ｍｙｏ−イノシトール５５０ｍｇおよびＤ−ｃｈｉｒｏ−イノシトール１５０ｍｇ、またはｍｙｏ−イノシトール１０００ｍｇおよびＤ−ｃｈｉｒｏ−イノシトール３００ｍｇである、請求項２０に記載のソフトカプセル。
【請求項２２】
前記シェルがゼラチンをさらに含む、請求項１８乃至２１のいずれか一項に記載のソフトカプセル。
【手続補正書】
【提出日】令和3年11月12日(2021.11.12)
【手続補正１】
【補正対象書類名】明細書
【補正対象項目名】０００４
【補正方法】変更
【補正の内容】
【０００４】
石油化学における適用のために、望まれる性能品質は、芳香族化合物の収率、さらには、生じた芳香族化合物の分配である。芳香族化合物は、一般的に、アロマティックコンプレクス（aromatic complex）において処理されて、１種または複数種の生成物、一般的にはキシレン類およびベンゼンの生成が最大とされる。トルエンおよびそれより重質の芳香族化合物は、ガソリンベースを形成することまたはキシレン類の混合物を生じさせることによって品質向上させられ得る。Ｃ６−Ｃ７の芳香族化合物の生成によって、特に、ガソリンのオクタン価を改善することが可能となり、かつ／または、ベンゼン、トルエンおよびキシレン類の供給を増大させることが可能となる。接触改質によってＣ６−Ｃ７の芳香族化合物の生成を最大にするために、触媒的に活性な金属（一般的には白金）および非酸ゼオライトを一般的に含んでいる特定の触媒系の存在が用いられる。
【手続補正２】
【補正対象書類名】明細書
【補正対象項目名】００７４
【補正方法】変更
【補正の内容】
【００７４】
改質反応器および芳香族化合物の抽出のためのユニットの操作条件は、従来技術の操作条件と同一である。
【手続補正書】
【提出日】令和3年5月31日(2021.5.31)
【手続補正１】
【補正対象書類名】特許請求の範囲
【補正対象項目名】全文
【補正方法】変更
【補正の内容】
【特許請求の範囲】
【請求項１】
以下を含む医薬組成物：
ａ．配列番号１を含む重鎖可変領域及び配列番号２を含む軽鎖可変領域を有する、約８０ｍｇ／ｍｌ〜約２００ｍｇ／ｍｌの抗体又はその抗原結合断片；
ｂ．約２０ｍＭ〜約１００ｍＭのアセタート；
ｃ．約１４０ｍＭ〜約３５０ｍＭのグリシン；
ｄ．約０．０１％〜約０．０７％（ｗ／ｖ）のポリソルベート８０及び；
約４．６〜約５．５のｐＨを有する。
【請求項２】
約１２０ｍｇ／ｍｌ〜約１８５ｍｇ／ｍｌの抗体又はその抗原結合断片、好ましくは約１６０ｍｇ／ｍＬを含む、請求項１に記載の医薬組成物。
【請求項３】
組成物が約１６０ｍＭ〜約３００ｍＭのグリシンを含む、請求項１又は２に記載の医薬組成物。
【請求項４】
組成物が約４０ｍＭ〜約９０ｍＭのアセタートを含む、請求項１〜３のいずれか一項に記載の医薬組成物。
【請求項５】
抗体又はその抗原結合断片がヒトＩＬ‐１７Ａ及びヒトＩＬ１７Ｆに特異的に結合する、請求項１〜４のいずれか一項に記載の医薬組成物。
【請求項６】
組成物が以下を含む、請求項１〜５のいずれか一項に記載の医薬組成物：
ａ．約１２０ｍｇ／ｍＬ〜約１８５ｍｇ／ｍＬの抗体又はその抗原結合断片；
ｂ．約４０ｍＭ〜約９０ｍＭのアセタート；
ｃ．約１６０ｍＭ〜約３００ｍＭのグリシン；
ｄ．約０．０１％〜約０．０７％（ｗ／ｖ）のポリソルベート８０、
ここで、組成物は、約４．６〜約５．５のｐＨを有する。
【請求項７】
請求項１〜６のいずれか一項に記載の医薬組成物を調製する方法であって：
ａ．配列番号１を含む重鎖可変領域及び配列番号２を含む軽鎖可変領域を有する、約４０ｍｇ／ｍｌ〜約５０ｍｇ／ｍｌの抗体又はその抗原結合断片を、ｐＨ約４．６〜約５．５でグリシン及びアセタートを含む緩衝液と組み合わせることにより低濃度製剤を調製するステップ；
ｂ．ａ）で得られた低濃度製剤の抗体又はその抗原結合断片を約１６０ｍｇ／ｍｌ〜約１８０ｍｇ／ｍｌの濃度に濃縮することにより高濃度製剤を調製するステップ；
ｃ．ｂ）で得られた高濃度製剤にポリソルベート８０を加えるステップ；
ｄ．任意選択で、ステップｃ）の前に、グリシン及びアセタートを含む緩衝液で抗体又はその抗原結合断片の濃度を調整するステップ
を含む、上記方法。
【請求項８】
緩衝液が約２０ｍＭ〜約１００ｍＭのアセタート、好ましくは約４０ｍＭ〜約９０ｍＭのアセタート及び約１４０ｍＭ〜約３５０ｍＭのグリシンを含み、ポリソルベート８０がステップｃ）で約０．０１〜約０．０７％（ｗ／ｖ）の最終濃度で添加される、請求項７に記載の方法。
【請求項９】
請求項７又は請求項８により得られる医薬組成物。
【請求項１０】
組成物のｐＨが約４．６〜約５．５である、請求項９に記載の医薬組成物。
【請求項１１】
請求項１〜６、９又は１０のいずれか一項に記載の医薬組成物を含む容器。
【請求項１２】
治療に使用するための、請求項１〜６、９又は１０のいずれか一項に記載の医薬組成物。
【請求項１３】
関節炎、関節リウマチ、乾癬、乾癬性関節炎、全身性発症若年性特発性関節炎（ＪＩＡ）、全身性エリテマトーデス（ＳＬＥ）、喘息、慢性閉塞性気道疾患、慢性閉塞性肺疾患、アトピー性皮膚炎、強皮症、全身性硬化症、肺線維症、クローン病、潰瘍性大腸炎、強直性脊椎炎、軸性脊椎関節炎、及び他の脊椎関節症からなる群から選択される、病理学的障害の治療又は予防に使用するための、請求項１〜６、９又は１０のいずれか一項に記載の医薬組成物。
【請求項１４】
関節炎、関節リウマチ、乾癬、乾癬性関節炎、全身性発症若年性特発性関節炎（ＪＩＡ）、全身性エリテマトーデス（ＳＬＥ）、喘息、慢性閉塞性気道疾患、慢性閉塞性肺疾患、アトピー性皮膚炎、強皮症、全身性硬化症、肺線維症、クローン病、潰瘍性大腸炎、強直性脊椎炎、軸性脊椎関節炎、及び他の脊椎関節症からなる群から選択される、病理学的障害の治療又は予防のための医薬の製造における、請求項１〜６、９又は１０のいずれか一項に記載の医薬組成物の使用。
【手続補正書】
【提出日】令和3年7月8日(2021.7.8)
【手続補正１】
【補正対象書類名】特許請求の範囲
【補正対象項目名】全文
【補正方法】変更
【補正の内容】
【特許請求の範囲】
【請求項１】
多粒子固形製剤を生産するための方法であって、水、食用マトリックス、及びマイクロカプセルを含む混合物を、凍結乾燥させる方法。
【請求項２】
前記混合物は、第一のマイクロカプセルのかたまりを含み、それぞれの個々の第一のマイクロカプセルは、第一のシェルを有し、前記かたまりは、外側のシェルによってカプセル化され、前記第一のマイクロカプセルは、コアセルベートである、請求項１に記載の方法。
【請求項３】
マイクロカプセルを含む多粒子固形製剤であって、前記マイクロカプセルは、凍結乾燥食用マトリックス中に埋め込まれている多粒子固形製剤。
【請求項４】
前記多粒子固形製剤は、少なくとも２００のマイクロカプセルを含む及び／又は前記マイクロカプセルは、機能的なコーティングを有していない、請求項３に記載の多粒子固形製剤。
【請求項５】
前記凍結乾燥食用マトリックスと前記マイクロカプセルとの重量比は、５：１〜５０：１である、請求項３又は４に記載の多粒子固形製剤。
【請求項６】
前記多粒子固形製剤は、第一のマイクロカプセルのかたまりを含み、それぞれの個々の第一のマイクロカプセルは、第一のシェルを有し、前記かたまりは、外側のシェルによってカプセル化され、前記第一のマイクロカプセルは、コアセルベートである、請求項３、４、又は５に記載の多粒子固形製剤。
【請求項７】
前記第一のシェル及び／又は前記外側のシェルは、ゼラチン、ポリリン酸、アラビアゴム、アルギン酸、キトサン、カラギナン、ペクチン、カルボキシメチルセルロース、又はその混合物を含む、請求項２に記載の方法又は請求項６に記載の多粒子固形製剤。
【請求項８】
前記多粒子固形製剤は、少なくとも０．３６ｍｌの容積を有する、請求項１、２、若しくは７に記載の方法又は請求項３、４、５、６、若しくは７に記載の多粒子固形製剤。
【請求項９】
前記マイクロカプセルは、医薬品及び／又は微量栄養素をカプセル化する、請求項１、２、７、若しくは８に記載の方法又は請求項３、４、５、６、７、若しくは８に記載の多粒子固形製剤。
【請求項１０】
前記マイクロカプセルは、多価不飽和脂肪酸を含む疎水性の液体をカプセル化する、請求項１、２、７、８、若しくは９に記載の方法又は請求項３、４、５、６、７、８、若しくは９に記載の多粒子固形製剤。
【請求項１１】
前記微量栄養素は、多価不飽和脂肪酸であり、前記多価不飽和脂肪酸は、遊離脂肪酸、塩、エステル、モノアシルグリセロール（ＭＡＧ）、ジアシルグリセロール（ＤＡＧ）、トリアシルグリセロール（ＴＡＧ）、リン脂質（ＰＬ）、又はその混合物の形態をしている、請求項９又は１０に記載の方法又は多粒子固形製剤。
【請求項１２】
前記多価不飽和脂肪酸は、オメガ−３脂肪酸、オメガ−３脂肪酸のエステル、オメガ−６脂肪酸、オメガ−６脂肪酸のエステル、又はその混合物である、請求項１０又は１１に記載の方法又は多粒子固形製剤。
【請求項１３】
経口固形製剤で患者を治療する場合に前記患者の服薬遵守の向上において使用するための請求項３〜１２のいずれか一項に記載の多粒子固形製剤であって、前記経口固形製剤は、魚臭い異臭などのような異臭を有する少なくとも１つの活性成分を含む多粒子固形製剤。
【請求項１４】
前記凍結乾燥食用マトリックスは、糖を含む及び／又は前記凍結乾燥食用マトリックスは、果実の香りがする、請求項１〜１３のいずれか一項に記載の使用、方法、又は多粒子製剤。
【請求項１５】
請求項３〜１２のいずれか一項に記載の少なくとも１０の多粒子固形製剤を含む複数回量の製品であって、何度でも口を開閉できる又は再封可能である、複数回量の製品。
【手続補正書】
【提出日】令和3年10月22日(2021.10.22)
【手続補正１】
【補正対象書類名】特許請求の範囲
【補正対象項目名】全文
【補正方法】変更
【補正の内容】
【特許請求の範囲】
【請求項１】
皮膚の発毛を促進するための薬剤を製造するための、ヒトＦｉｄｇｅｔｉｎ様２をコードするＤＮＡまたはＲＮＡに対するｓｉＲＮＡまたはｓｈＲＮＡの使用。
【請求項２】
皮膚の毛包の成長を増進するための薬剤を製造するための、ヒトＦｉｄｇｅｔｉｎ様２をコードするＤＮＡまたはＲＮＡに対するｓｉＲＮＡまたはｓｈＲＮＡの使用。
【請求項３】
皮膚内のサイトケラチン１４の発現を増加させるための薬剤を製造するための、ヒトＦｉｄｇｅｔｉｎ様２をコードするＤＮＡまたはＲＮＡに対するｓｉＲＮＡまたはｓｈＲＮＡの使用。
【請求項４】
請求項１〜３のいずれかに記載の使用であって、
前記ヒトＦｉｄｇｅｔｉｎ様２が、配列番号２に記載のアミノ酸からなる、使用。
【請求項５】
請求項１〜４のいずれかに記載の使用であって、
前記薬剤がｓｉＲＮＡを含む、使用。
【請求項６】
請求項１〜４のいずれかに記載の使用であって、
前記薬剤がｓｈＲＮＡを含む、使用。
【請求項７】
請求項５に記載の使用であって、
前記ヒトＦｉｄｇｅｔｉｎ様２をコードするＤＮＡまたはＲＮＡに対する前記ｓｉＲＮＡが、少なくとも１つの２´−糖修飾を有する、使用。
【請求項８】
請求項６に記載の使用であって、
前記ヒトＦｉｄｇｅｔｉｎ様２をコードするＤＮＡまたはＲＮＡに対する前記ｓｈＲＮＡが、少なくとも１つの２´−糖修飾を有する、使用。
【請求項９】
請求項１〜８のいずれかに記載の使用であって、
前記ｓｉＲＮＡまたは前記ｓｈＲＮＡが、前記ヒトＦｉｄｇｅｔｉｎ様２をコードするｍＲＮＡを対象にする、使用。
【請求項１０】
請求項１〜９のいずれかに記載の使用であって、
前記ｓｉＲＮＡまたは前記ｓｈＲＮＡが、前記ヒトＦｉｄｇｅｔｉｎ様２をコードするＤＮＡを対象にする、使用。
【請求項１１】
請求項１〜５、７、９〜１０のいずれかに記載の使用であって、
前記ｓｉＲＮＡが、配列番号３、４、５、６、７、８、９、または１０に記載の配列からなる、使用。
【請求項１２】
請求項１〜５、７、９〜１１のいずれかに記載の使用であって、
前記ｓｉＲＮＡが、ナノ粒子でカプセル化されている、使用。
【請求項１３】
請求項１〜５、７、９〜１２のいずれかに記載の使用であって、
前記ｓｉＲＮＡが、ポロキサマーナノ粒子でカプセル化されている、使用。
【請求項１４】
（ｉ）皮膚の毛包の成長増進に有効な量の、ヒトＦｉｄｇｅｔｉｎ様２をコードするＤＮＡまたはＲＮＡに対するｓｉＲＮＡまたはｓｈＲＮＡと、
（ｉｉ）界面活性剤と、を含むシャンプー組成物。
【請求項１５】
請求項１４に記載のシャンプー組成物であって、
ラウリル硫酸ナトリウム、ラウレス硫酸ナトリウム、およびコカミドプロピルベタインのうちの、１つまたは複数を含むシャンプー組成物。
【請求項１６】
（ｉ）皮膚の毛包の成長増進に有効な量の、ヒトＦｉｄｇｅｔｉｎ様２をコードするＤＮＡに対するｓｉＲＮＡまたはｓｈＲＮＡを含有し、かつ、
（ｉｉ）マイクロニードルアレイに収容される、組成物。
【請求項１７】
請求項１６に記載の組成物であって、
前記マイクロニードルアレイが、デキストラン、ヒアルロン酸、およびＰＶＰのうちの、１つまたは複数からなる構造を含む組成物。
【請求項１８】
（ｉ）皮膚の発毛の促進に有効な量の、ヒトＦｉｄｇｅｔｉｎ様２をコードするＤＮＡまたはＲＮＡに対するｓｉＲＮＡまたはｓｈＲＮＡと、
（ｉｉ）界面活性剤と、を含むシャンプー組成物。
【請求項１９】
請求項１８に記載のシャンプー組成物であって、
ラウリル硫酸ナトリウム、ラウレス硫酸ナトリウム、およびコカミドプロピルベタインのうちの、１つまたは複数を含むシャンプー組成物。
【請求項２０】
（ｉ）皮膚の発毛の促進に有効な量の、ヒトＦｉｄｇｅｔｉｎ様２をコードするＤＮＡに対するｓｉＲＮＡまたはｓｈＲＮＡを含有し、かつ、
（ｉｉ）マイクロニードルアレイに収容される、組成物。
【請求項２１】
請求項２０に記載の組成物であって、
前記マイクロニードルアレイが、デキストラン、ヒアルロン酸、およびＰＶＰのうちの、１つまたは複数からなる構造を含む組成物。
【手続補正書】
【提出日】令和3年11月11日(2021.11.11)
【手続補正１】
【補正対象書類名】特許請求の範囲
【補正対象項目名】全文
【補正方法】変更
【補正の内容】
【特許請求の範囲】
【請求項１】
チモシンβ４、チモシンβ４アイソフォーム、またはそのアナログもしくは誘導体を有効成分として含む、杯細胞増殖またはムチン分泌を促進するための組成物。
【請求項２】
チモシンβ４が配列番号１のアミノ酸配列を有する、請求項１に記載の組成物。
【請求項３】
チモシンβ４の誘導体が、変異したチモシンβ４Ｎ末端またはＣ末端を有する、請求項１に記載の組成物。
【請求項４】
チモシンβ４またはそのアイソフォームもしくは誘導体の濃度が、０．０２％（ｗ／ｖ）〜０．５％（ｗ／ｖ）である、請求項１に記載の組成物。
【請求項５】
酢酸、クエン酸、その塩、または該塩の水和物をさらに含む、請求項１に記載の組成物。
【請求項６】
塩化ナトリウム、塩化カリウム、塩化カルシウム二水和物、および塩化マグネシウム六水和物をさらに含む、請求項１に記載の組成物。
【請求項７】
チモシンβ４、チモシンβ４アイソフォーム、またはそのアナログもしくは誘導体を有効成分として含む、杯細胞が関与する、またはムチンが関与する疾患を予防または治療するための医薬組成物。
【請求項８】
チモシンβ４が配列番号１のアミノ酸配列を有する、請求項７に記載の医薬組成物。
【請求項９】
チモシンβ４の誘導体が、変異したチモシンβ４Ｎ末端またはＣ末端を有する、請求項７に記載の医薬組成物。
【請求項１０】
チモシンβ４またはそのアイソフォームもしくは誘導体の濃度が、０．０２％（ｗ／ｖ）〜０．５％（ｗ／ｖ）である、請求項７に記載の医薬組成物。
【請求項１１】
酢酸、クエン酸、その塩、または該塩の水和物をさらに含む、請求項７に記載の医薬組成物。
【請求項１２】
塩化ナトリウム、塩化カリウム、塩化カルシウム二水和物、および塩化マグネシウム六水和物をさらに含む、請求項７に記載の医薬組成物。
【請求項１３】
杯細胞が関与する、またはムチンが関与する疾患が、胃炎、胃潰瘍、腸炎、潰瘍性大腸炎またはドライアイである、請求項７に記載の医薬組成物。
【請求項１４】
杯細胞増殖またはムチン分泌を促進するための医薬を製造するための、請求項１に記載される組成物の使用。
【請求項１５】
杯細胞が関与する、またはムチンが関与する疾患を予防または治療するための医薬を製造するための、請求項７に記載される組成物の使用。
【手続補正２】
【補正対象書類名】明細書
【補正対象項目名】００６８
【補正方法】変更
【補正の内容】
【００６８】
本発明の他の一側面において、杯細胞が関与する、またはムチンが関与する疾患を予防または治療するための医薬を製造するための医薬組成物の使用が提供される。
本発明のいくつかの側面において、下記項に記載のものが提供される：
［項１］
チモシンβ４、チモシンβ４アイソフォーム、またはそのアナログもしくは誘導体を有効成分として含む、杯細胞増殖またはムチン分泌を促進するための組成物。
［項２］
チモシンβ４が配列番号１のアミノ酸配列を有する、上記項１に記載の組成物。
［項３］
チモシンβ４の誘導体が、変異したチモシンβ４Ｎ末端またはＣ末端を有する、上記項１に記載の組成物。
［項４］
チモシンβ４またはそのアイソフォームもしくは誘導体の濃度が、０．０２％（ｗ／ｖ）〜０．５％（ｗ／ｖ）である、上記項１に記載の組成物。
［項５］
酢酸、クエン酸、その塩、または該塩の水和物をさらに含む、上記項１に記載の組成物。
［項６］
塩化ナトリウム、塩化カリウム、塩化カルシウム二水和物、および塩化マグネシウム六水和物をさらに含む、上記項１に記載の組成物。
［項７］
チモシンβ４、チモシンβ４アイソフォーム、またはそのアナログもしくは誘導体を有効成分として含む、杯細胞が関与する、またはムチンが関与する疾患を予防または治療するための医薬組成物。
［項８］
チモシンβ４が配列番号１のアミノ酸配列を有する、上記項７に記載の医薬組成物。
［項９］
チモシンβ４の誘導体が、変異したチモシンβ４Ｎ末端またはＣ末端を有する、上記項７に記載の医薬組成物。
［項１０］
チモシンβ４またはそのアイソフォームもしくは誘導体の濃度が、０．０２％（ｗ／ｖ）〜０．５％（ｗ／ｖ）である、上記項７に記載の医薬組成物。
［項１１］
酢酸、クエン酸、その塩、または該塩の水和物をさらに含む、上記項７に記載の医薬組成物。
［項１２］
塩化ナトリウム、塩化カリウム、塩化カルシウム二水和物、および塩化マグネシウム六水和物をさらに含む、上記項７に記載の医薬組成物。
［項１３］
ムチンが関与する疾患が、胃炎、胃潰瘍、腸炎、潰瘍性大腸炎またはドライアイである、上記項７に記載の医薬組成物。
［項１４］
上記項７〜１３のいずれかに記載される医薬組成物を対象に投与することを含む、杯細胞が関与する、またはムチンが関与する疾患を処置する方法。
［項１５］
杯細胞が関与する、またはムチンが関与する疾患が、胃炎、胃潰瘍、腸炎、潰瘍性大腸炎またはドライアイである、上記項１４に記載の方法。
［項１６］
杯細胞増殖またはムチン分泌を促進するための、上記項１に記載される組成物の使用。
［項１７］
杯細胞増殖またはムチン分泌を促進するための医薬を製造するための、上記項１に記載される組成物の使用。
［項１８］
杯細胞が関与する、またはムチンが関与する疾患を予防または治療するための、上記項７に記載される組成物の使用。
［項１９］
杯細胞が関与する、またはムチンが関与する疾患を予防または治療するための医薬を製造するための、上記項７に記載される組成物の使用。
【誤訳訂正書】
【提出日】令和3年8月31日(2021.8.31)
【誤訳訂正１】
【訂正対象書類名】特許請求の範囲
【訂正対象項目名】全文
【訂正方法】変更
【訂正の内容】
【特許請求の範囲】
【請求項１】
ガス状の、硫黄含有炭化水素の酸化的脱硫において有用な組成物であって、
（ｉ）混合酸化物成分の、１０重量パーセント（重量％）から５０重量％までの範囲の量における名目上の酸化銅、５重量％から２０重量％未満の範囲の量における酸化亜鉛、及び、２０重量％から７０重量％までの範囲の量における酸化アルミニウムを含むＣｕＺｎＡｌ−Ｏ混合酸化物成分（ここで前記組成物は、化学式ＣｕｘＺｎ１−ｘＡｌ２Ｏ４を有する高度に分散したスピネル酸化物相を有し、ｘは０から１までの範囲であり、分散された結晶性ＺｎＯ及びＣｕＯ）、並びに、
（ｉｉ）Ｈ形態における少なくとも１つの脱ケイ化されたゼオライト、
を含む組成物。
【請求項２】
前記ＣｕＺｎＡｌ−Ｏ混合酸化物成分が、粒状形態である、請求項１に記載の組成物。
【請求項３】
円筒、球、三葉又は四葉として形成される、請求項１に記載の組成物。
【請求項４】
前記ＣｕＺｎＡｌ−Ｏ混合酸化物成分の顆粒が、１ｍｍから４ｍｍの直径を有する、請求項２に記載の組成物。
【請求項５】
前記ＣｕＺｎＡｌ−Ｏ混合酸化物成分が、１０ｍ２／ｇから１００ｍ２／ｇの表面積を有する、請求項１に記載の組成物。
【請求項６】
前記ＣｕＺｎＡｌ−Ｏ混合酸化物成分の全細孔容積が、０．１ｃｍ３／ｇから０．５ｃｍ３／ｇである、請求項１に記載の組成物。
【請求項７】
前記ＣｕＺｎＡｌ−Ｏ混合酸化物成分が、２０重量％から４５重量％のＣｕＯ、１０重量％から２０重量％未満のＺｎＯ、及び２０重量％から７０重量％のＡｌ２Ｏ３を含む、請求項１に記載の組成物。
【請求項８】
前記ＣｕＺｎＡｌ−Ｏ混合酸化物成分が、３０重量％から４５重量％のＣｕＯ、１２重量％から２０重量％未満のＺｎＯ、及び２０重量％から４０重量％のＡｌ２Ｏ３を含む、請求項７に記載の組成物。
【請求項９】
前記ＣｕＺｎＡｌ−Ｏ混合酸化物成分が、５０ｍ２／ｇから１００ｍ２／ｇの表面積を有する、請求項５に記載の組成物。
【請求項１０】
ｘが０．１から０．６である、請求項１に記載の組成物。
【請求項１１】
ｘが０．２から０．５である、請求項１０に記載の組成物。
【請求項１２】
前記ＣｕＺｎＡｌ−Ｏ混合酸化物成分が、酸化物促進剤をさらに含む、請求項１に記載の組成物。
【請求項１３】
前記酸化物促進剤が、Ｍｏ、Ｗ、Ｓｉ、Ｂ又はＰの酸化物の混合物である、請求項１２に記載の組成物。
【請求項１４】
ゼオライトの前記Ｈ形態が、ＨＺＳＭ−５、ＨＹ、ＨＸ、Ｈ−モルデナイト、ＭＦＩ、ＦＡＵ、ＢＥＡ、ＭＯＲ又はＦＥＲである、請求項１に記載の組成物。
【請求項１５】
前記Ｈ形態における脱ケイ化されたゼオライトが、遷移金属を含む、請求項１に記載の組成物。
【請求項１６】
前記Ｈ形態における脱ケイ化されたゼオライトが、遷移金属を含む、請求項１２に記載の組成物。
【請求項１７】
前記遷移金属が、Ｌａ又はＹである、請求項１５に記載の組成物。
【請求項１８】
前記遷移金属が、Ｌａ又はＹである、請求項１６に記載の組成物。
【請求項１９】
前記Ｈ形態における脱ケイ化されたゼオライトが、５から５０重量パーセントの前記組成物を含む、請求項１に記載の組成物。
【請求項２０】
前記Ｈ形態における脱ケイ化されたゼオライトが、２から９０のケイ酸塩モジュール（シリコン対アルミニウム原子比率）を有する、請求項１に記載の組成物。
【請求項２１】
前記Ｈ形態における脱ケイ化されたゼオライトが、結晶構造を有する、請求項１に記載の組成物。
【請求項２２】
酸化的脱硫を好む条件下で請求項１に記載の組成物にガス状炭化水素原料を接触させる段階を含む、ガス状炭化水素原料における硫黄含有量を酸化的に減少させるための方法。
【誤訳訂正書】
【提出日】令和2年11月27日(2020.11.27)
【誤訳訂正１】
【訂正対象書類名】特許請求の範囲
【訂正対象項目名】全文
【訂正方法】変更
【訂正の内容】
【特許請求の範囲】
【請求項１】
ヒトまたは動物用の、意思、想像、または思考のデコーディングシステムであって、
ａ．脳活動の記録または測定システムと、
ｂ．デコーディング対象である上記意思、想像、または思考に関連する１つ以上の人工的に引き起こされた感覚的手がかりおよび／または刺激をアクティブに適用する、感覚刺激システムと、
ｃ．ヒトまたは動物によって想像される行為の順モデルの予測誤差を用いるデコーディングシステムであって、上記アクティブに適用された感覚的手がかりまたは刺激の存在下またはその直後に記録された脳活動の上記予測誤差を分析し、上記行為と関連する上記意思、想像、または思考をデコードするデコーディングシステムと、を備え、
上記順モデルは、運動命令を、自己の行為の予測される感覚的結果へと変換するものであり、上記予測誤差は、順モデルからの予測と実際の感覚的結果との差異である、デコーディングシステム。
【請求項２】
上記脳活動の記録または測定システムは、１つ以上の脳イメージング様式を用いて脳活動を測定および／または記録し、該１つ以上の脳イメージング様式の例は、脳波記録（ＥＥＧ）、脳磁図（ＭＥＧ）、近赤外線分光法（ＮＩＲＳ）、機能的磁気共鳴画像法（ｆＭＲＩ）などである、請求項１に記載のデコーディングシステム。
【請求項３】
上記手がかりは、個体に対する聴覚的入力および／または視覚的入力および／または触覚的入力および／または嗅覚的入力および／または味覚的入力であり、該個体は上記手がかりを意識的に知覚してもしなくてもよい、請求項１に記載のデコーディングシステム。
【請求項４】
上記刺激は、身体の感覚システムに対する電気的入力、機械的入力、または磁気的入力であり、個体は上記刺激を意識的に知覚してもしなくてもよい、請求項１に記載のデコーディングシステム。
【請求項５】
意思、想像、または思考がデコーディングの対象であるユーザが、上記手がかりと上記意思、想像、または思考との間に関連付けが形成されるように上記手がかりに対して予めトレーニングされていてよい、請求項３に記載のデコーディングシステム。
【請求項６】
意思、想像、または思考がデコーディングの対象であるユーザが、上記刺激と上記意思、想像、または思考との間に関連付けが形成されるように上記刺激に対して予めトレーニングされていてよい、請求項４に記載のデコーディングシステム。
【請求項７】
上記感覚刺激システムは、刺激または手がかりを、一回または複数回、ランダムに、周期的に、または、他の生理的変数、行動変数、または環境変数と同時に、または他の生理的変数、行動変数、または環境変数にトリガされて、適用する、請求項１に記載のデコーディングシステム。
【請求項８】
上記感覚刺激システムは、手動でトリガされる刺激および／または手がかりを適用する、請求項１に記載のデコーディングシステム。
【請求項９】
上記感覚刺激システムは、刺激および／または手がかりを、個体の意思、想像、または思考の前、最中、または後に適用する、請求項１に記載のデコーディングシステム。
【請求項１０】
上記デコーディングは、一回または複数回、行われてよい、請求項１に記載のデコーディングシステム。
【請求項１１】
上記デコーディングシステムは、上記意思、想像、または思考と、上記適用された手がかりまたは刺激との相違をデコードする、請求項１に記載のデコーディングシステム。
【請求項１２】
上記デコーディングシステムは、健康な個体、年配の個体、または罹患した個体とともに用いられて、該個体の意思、想像、または思考をデコードする、請求項１に記載のデコーディングシステム。
【誤訳訂正２】
【訂正対象書類名】明細書
【訂正対象項目名】０００７
【訂正方法】変更
【訂正の内容】
【０００７】
（神経科学の動機および原理）
このようなアクティブな手段をとる理由は神経科学に基づく。運動神経科学では、ヒトの動作が、自己により生成される行為（self-generated action）についての感覚信号を推定（estimate）し予測（predict）する脳の能力によってクリティカルに決定されることが十分に確立されている（非特許文献１〜４）。従来のヒトの運動研究（非特許文献５〜８）、ヒト以外の霊長類の運動研究（非特許文献９〜１１）、トリの運動研究（非特許文献１２）、および昆虫の運動研究（非特許文献１３）によれば、自己により生成される行為についての推定は、運動命令を、自己の行為の予測される感覚的結果へと変換する順モデル（forward model）によって行われる（非特許文献１４、１５）。近年の研究によれば、同じ順モデルは、観察された動作についての感覚的アウトプットも同様に予測する。脳は予測誤差、すなわち（順モデルからの）予測と実際の感覚的結果との差異を計算し、自己により生成される行為についての知覚を生成し（非特許文献１６〜１９）、オンラインでの運動制御の内部モデルを更新し（非特許文献２０）、運動学習を更新する（非特許文献２１）。本発明の発明者らにとって重要なことに、順モデルは、行為の生成時にアクティブであるだけでなく、行為が想像された時でもアクティブであると考えられる（非特許文献２４、２５）。ここで、本発明の発明者らは、この事実を用いて、想像された意思をデコードする新たな方法を開発する。
【誤訳訂正書】
【提出日】令和3年9月15日(2021.9.15)
【誤訳訂正１】
【訂正対象書類名】明細書
【訂正対象項目名】００１６
【訂正方法】変更
【訂正の内容】
【００１６】
加熱速度を増大させることによりＡｃ１及びＡｃ３の両方が増大するが、所望の割合のオーステナイトは、変態区間（Ａｅ１）又は完全なオーステナイト化のための超臨界領域（Ａｅ３）についての平衡ソルバス温度よりも高い温度で、連続的に加熱することによって、或いは、十分に長い時間、保持又は均熱（soak）することによって達成できる。
【誤訳訂正２】
【訂正対象書類名】明細書
【訂正対象項目名】００４６
【訂正方法】変更
【訂正の内容】
【００４６】
さらに、硬度の値は元のＤＰ８００基材と同じであった。従来の方法に従って製造されたＤＰ８００に見られる高い硬度ピークがないことは明らかである。この改善された均一性は、図５に示される横断面分析によってさらに実証されている。本発明の例４、６及び７では、溶接部は隣接する材料とほとんど区別することができない。これらの管の微細構造は外周の全域にわたって均一である。
【誤訳訂正３】
【訂正対象書類名】特許請求の範囲
【訂正対象項目名】全文
【訂正方法】変更
【訂正の内容】
【特許請求の範囲】
【請求項１】
鋼帯から鋼管を製造する方法であって、
前記鋼帯の材料は、以下の重量％組成：
Ｃ：０．０８〜０．３
Ｍｎ：１．０〜３．０
Ｓｉ：０．０１〜１．５
Ｐ：＜０．０１
Ｓ：＜０．０１
Ｃｒ：０〜０．６
Ｍｏ：０〜０．６
Ｖ：０〜０．３
Ｔｉ：０〜０．３
Ｎｂ：０〜０．３
Ｂ：０〜０．００５
残部はＦｅ及び不可避的不純物
を有し、
前記方法は、
前記方法に供される鋼帯を準備する工程、
前記鋼帯の管を形成する工程、
前記形成された前記管を長手方向に溶接する工程、
前記管を熱処理する工程
を含み、
前記工程は、一つの連続的なインライン製造ラインで行われ、
前記熱処理は、前記管の連続横断面において、少なくとも５０体積％のオーステナイトが保持される微細構造が達成されるような加熱処理、及び所望の体積分率でフェライト及び／又はベイナイトを再導入する冷却処理を含み、
前記管が前記加熱処理に供された後、前記管が、２０〜５０℃／秒の範囲の速度で７５０〜５５０℃の範囲の温度まで冷却され、その後、５０℃／秒を超える速度で冷却される、前記方法。
【請求項２】
一つの鋼組成から、制御された様々な機械的性質（すなわちグレード）を有する管を製造するために、前記熱処理を変化させることができる、請求項１記載の方法。
【請求項３】
様々な鋼組成から、一組の機械的性質（すなわちグレード）を有する管を製造するために、前記熱処理が用いられる、請求項１に記載の方法。
【請求項４】
前記熱処理が、前記鋼の組成のＡｃ１〜Ａｃ３温度の間の温度もしくはＡｃ３温度を超える温度まで前記管を加熱することを含むか、又は前記鋼の組成のＡｅ３温度を超える温度まで前記管を加熱すること及び前記温度で前記管を保持することを含む、請求項１〜３のいずれか一項に記載の方法。
【請求項５】
前記管が、
ａ．５００〜９００ＭＰａの範囲の最大引張強度、及び１５〜３０％の範囲の伸び
ｂ．７５０〜１２００ＭＰａの範囲の最大引張強度及び１０〜２５％の範囲の伸び
ｃ．９５０〜２０００ＭＰａの範囲の最大引張強度及び５〜２５％の範囲の伸び
を有する部分を含む、請求項１〜４のいずれか一項に記載の方法。
【請求項６】
前記管が前記加熱処理に供された後、前記管が、５０℃／秒を超える速度で７００〜５５０℃の範囲の温度まで冷却され、その後、前記範囲の温度に最大１０℃／秒の冷却速度で最大６０秒間保持又は徐冷され、その後、５０℃／秒を超える速度で冷却される、請求項１〜５のいずれか一項に記載の方法。
【請求項７】
前記管が前記加熱処理に供された後、前記管が、５０℃／秒を超える速度で６００〜４００℃の範囲の温度まで冷却され、その後、前記範囲の温度に最大１０℃／秒の冷却速度で最大６０秒間保持又は徐冷され、その後、５０℃／秒を超える速度で冷却される、請求項１〜５のいずれか一項に記載の方法。
【請求項８】
１５０℃未満の温度に冷却した後、前記管が、３００〜４５０℃の範囲の温度まで最大６０秒間再加熱され、その後、前記管が周囲温度まで冷却される、請求項１〜７のいずれか一項に記載の方法。
【請求項９】
前記管の製造が、５０〜１５０ｍ／分の範囲のライン速度で行われる、請求項１〜８のいずれか一項に記載の方法。
【手続補正書】
【提出日】令和3年5月7日(2021.5.7)
【手続補正１】
【補正対象書類名】特許請求の範囲
【補正対象項目名】全文
【補正方法】変更
【補正の内容】
【特許請求の範囲】
【請求項１】
【化１】
2019527728.tif 000001
からなる群から選択される化合物、またはその薬学的に許容される塩、溶媒和物、水和物、互変異性体もしくは異性体。
【請求項２】
化合物が：
【化２】
2019527728.tif 000002
である、請求項１に記載の化合物、またはその薬学的に許容される塩、溶媒和物、水和物、互変異性体もしくは異性体。
【請求項３】
化合物が：
【化３】
2019527728.tif 000003
である、請求項１に記載の化合物、またはその薬学的に許容される塩、溶媒和物、水和物、互変異性体もしくは異性体。
【請求項４】
化合物が：
【化４】
2019527728.tif 000004
である、請求項１に記載の化合物、またはその薬学的に許容される塩、溶媒和物、水和物、互変異性体もしくは異性体。
【請求項５】
化合物が：
【化５】
2019527728.tif 000005
である、請求項１に記載の化合物、またはその薬学的に許容される塩、溶媒和物、水和物、互変異性体もしくは異性体。
【請求項６】
化合物が：
【化６】
2019527728.tif 000006
である、請求項１に記載の化合物、またはその薬学的に許容される塩、溶媒和物、水和物、互変異性体もしくは異性体。
【請求項７】
請求項１〜６のいずれか１項に記載の化合物、またはその薬学的に許容される塩、溶媒和物、水和物、互変異性体もしくは異性体、および薬学的に許容される担体を含む医薬組成物。
【請求項８】
それを必要とする対象におけるＳＨＰ２モジュレーションに関連する疾患を処置する方法で使用するための請求項７に記載の医薬組成物であって、前記方法は、有効量の医薬組成物を対象に投与することを含む、上記医薬組成物。
【請求項９】
疾患は、ヌーナン症候群、レオパード症候群、若年性骨髄単球性白血病、神経芽細胞腫、メラノーマ、急性骨髄球性白血病、ならびに乳房、肺および結腸のがんから選択される、請求項８に記載の医薬組成物。